(57)【要約】【課題】  カートリッジ本体に設けた記録及び／又は再生用開口部を開閉するシャッタ部材を付勢する捩りコイルバネと光ディスクとの接触を防止する。【解決手段】光ディスク２を回転可能に収納するとともに、光ディスク２の一部を内外周に亘って外方に臨ませるヘッド用開口部１３が設けられたカートリッジ本体５と、カートリッジ本体５に移動可能に支持されてヘッド用開口部１３を開閉するシャッタ部材１５と、一端をカートリッジ本体５に立設された係止部３３に係止されるとともに他端をシャッタ部材１５に係止され、シャッタ部材１５をヘッド用開口部１３を閉塞した位置及びヘッド用開口部１３を開放した位置のいずれかに選択的に付勢する二方向付勢機構２９と、二方向付勢機構２９の移動軌跡上に形成され、二方向付勢機構２９の移動を規制することにより二方向付勢機構２９が光ディスク２に接触することを防止する移動規制部４ａとを備える。【選択図】  図１６
2005158194.tif 000002
【特許請求の範囲】
【請求項１】
ディスク状記録媒体と、
上記ディスク状記録媒体を回転可能に収納するとともに、上記ディスク状記録媒体の一部を内外周に亘って外方に臨ませる記録及び／又は再生用開口部が設けられたカートリッジ本体と、
上記カートリッジ本体に移動可能に支持されて上記記録及び／又は再生用開口部を開閉するシャッタ部材と、
一端を上記カートリッジ本体に立設された係止部に係止されるとともに他端を上記シャッタ部材に係止され、上記シャッタ部材を上記記録及び／又は再生用開口部を閉塞した位置及び上記記録及び／又は再生用開口部を開放した位置のいずれかに選択的に付勢する二方向付勢機構と、
上記二方向付勢機構の移動軌跡上に形成され、上記二方向付勢機構の移動を規制することにより上記二方向付勢機構が上記ディスク状記録媒体に接触することを防止する移動規制部とを備えているディスクカートリッジ。
【請求項２】
上記移動規制部は、上記カートリッジ本体に立ち上がり形成された上記ディスク状記録媒体が収納される収納部を構成する周壁が延設されてなることを特徴とする請求項１記載のディスクカートリッジ。
【請求項３】
上記移動規制部は、上記カートリッジ本体に立ち上がり形成された規制突部からなることを特徴とする請求項１記載のディスクカートリッジ。
【請求項４】
上記二方向付勢機構は、上記シャッタ部材の上記記録及び／又は再生用開口部に対する位置に応じて、上記シャッタ部材を上記記録及び／又は再生用開口部を閉塞する方向又は上記記録及び／又は再生用開口部を開放する方向のいずれか一方に選択的に付勢する請求項１記載のディスクカートリッジ。
【請求項５】
上記二方向付勢機構は、一端を上記カートリッジ本体に立設された係止部に回動自在に係止された捩りコイルバネからなることを特徴とする請求項１記載のディスクカートリッジ。
【請求項６】
上記捩りコイルバネは、中間部に第１のコイル部が設けられるとともに上記第１のコイル部から一対のアーム部が延長され、一方のアーム部の先端には上記カートリッジ本体に立設された上記係止部に回転自在に支持される第２のコイル部が設けられ、他方のアーム部の先端部には略コ字状に折り曲げられるとともに、上記他方のアーム部より延設される延設部及び／又は該延設部と平行に折り曲げられる折り曲げ部が上記他方のアーム部の延設方向と所定の角度を有する係止部が形成され、該係止部が上記シャッタ部材に形成された係止孔に係止することを特徴とする請求項５記載のディスクカートリッジ。
【請求項７】
上記捩りコイルバネは、上記第１のコイル部と上記第２のコイル部とが互いに巻方向を逆にして複数巻回されていることを特徴とする請求項６記載のディスクカートリッジ。
【請求項８】
上記二方向付勢機構は、上記シャッタ部材が上記記録及び／又は再生用開口部を開放する移動方向の上流側に位置して設けられている請求項１記載のディスクカートリッジ。
【請求項９】
上記カートリッジ本体の記録及び／又は再生装置への挿入端側が、上記カートリッジ本体に収納されたディスク状記録媒体の中心を中心とするほぼ半円の円弧状部とされ、上記記録及び／又は再生用開口部は、上記カートリッジ本体の上記円弧状部とされた側面以外の側面に臨んで形成されている請求項１記載のディスクカートリッジ。
【請求項１０】
上記シャッタ部材が移動する側面は、上記シャッタ部材の移動方向と平行な面である請求項９記載のディスクカートリッジ。
【発明の詳細な説明】
【技術分野】
【０００１】
本発明は、光ディスク等のディスク状記録媒体を収納したディスクカートリッジに関する。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図るとともに、記録及び／又は再生装置への挿脱を容易に行うことを可能としている。
【０００３】
ディスクカートリッジは、ディスク状記録媒体をカートリッジ本体に収納したままの状態で記録及び／又は再生装置に装着可能とすることから、カートリッジ本体には、ディスク状記録媒体の一部を内外周に亘って外方に臨ませる記録及び／又は再生用開口部が設けられている。記録及び／又は再生装置側に設けた光ピックアップ等の記録再生用のヘッド部は、記録及び／又は再生用開口部を介してディスク状記録媒体と対向し、ディスク状記録媒体の信号記録領域を走査して情報信号の記録又は再生を行う。
【０００４】
ところで、カートリッジ本体に設けた記録及び／又は再生用開口部が開放されたままの状態にあると、記録及び／又は再生装置に装着されない保管時等の非使用時にカートリッジ本体内に塵埃等が侵入し、カートリッジ本体に収納されたディスク状記録媒体を汚損してしまうおそれがある。
【０００５】
そこで、ディスク状記録媒体を収納したディスクカートリッジには、記録及び／又は再生用開口部を閉塞するためのシャッタ部材が設けられている。シャッタ部材が設けられたディスクカートリッジにあっては、保管時等の非使用時に記録及び／又は再生用開口部が開放されてしまうことを防止するため、シャッタ部材を記録及び／又は再生用開口部を閉塞するように付勢するバネ部材を設けたものが提供されている。
【０００６】
シャッタ部材を記録及び／又は再生用開口部を閉塞する閉塞方向に付勢するバネ部材等の付勢部材を設けたディスクカートリッジとして特開平９−９１９１５号公報（特許文献１参照）に記載されたものがある。
【０００７】
ところで、従来提供されているシャッタ部材を備えたディスクカートリッジは、特許文献１に記載されたものを含め、シャッタ部材は、付勢部材により専らシャッタ部材を記録及び／又は再生用開口部を閉塞する閉塞方向にのみ付勢されている。
【０００８】
このように、閉塞方向にのみ付勢されたシャッタ部材により閉塞された記録及び／又は再生用開口部を確実に開放するためには、記録及び／又は再生用開口部を開放した位置から更にシャッタ部材を開放方向に移動させるオーバーストロークが必要となり、その結果、シャッタ部材の移動領域が大きくなり、ディスクカートリッジの小型化が困難となる。このようなオーバーストロークを設けたディスクカートリッジは、記録及び／又は再生装置に装着し、シャッタ部材を付勢部材の付勢力に抗して開放位置に保持するとき、バックラッシが発生する。このようなシャッタ部材は、僅かの衝撃でも振動してしまい、安定した状態で開放位置に保持することが困難となる。このようなシャッタ部材の振動は、記録及び／又は再生装置の記録再生特性に影響を与え、良好な記録再生特性が得られなくなるおそれもある。
【０００９】
また、シャッタ部材を閉塞方向にのみ付勢する付勢部材を設けたディスクカートリッジを用いる記録及び／又は再生装置にあっては、上述のように、シャッタ部材を記録及び／又は再生用開口部を開放した位置に付勢部材の付勢力に抗して保持するための保持機構が設けられるため、記録及び／又は再生装置側の機構が複雑となってしまう。更に、保持機構は、シャッタ部材を付勢する付勢部材の付勢力に抗してシャッタ部材を開放位置に保持するに足る保持力を有する機構が必要であり、機構自体が大型化し、その結果、装置自体の小型化、更には軽量化が困難となる。
【００１０】
【特許文献１】特開平９−９１９１５号公報
【特許文献２】特開平１０−６４２２２号公報
【発明の開示】
【発明が解決しようとする課題】
【００１１】
以上のようなディスクカートリッジに対して、捩りコイルバネをカートリッジ本体内に回動可能に取り付けるとともに、一端をシャッタ部材に取り付けることにより、シャッタ部材を開方向又は閉方向へ選択的に付勢するディスクカートリッジが提案されている。この種のディスクカートリッジにおいては、シャッタ部材の開閉動作に伴って捩りコイルバネが反転することにより、捩りコイルバネの付勢方向が反転するため、シャッタ部材を開方向へ移動したときには記録及び／又は再生用開口部を開放する位置に付勢、保持し、シャッタ部材を閉方向へ移動したときには記録及び／又は再生用開口部を閉塞する位置に付勢、保持する。
【００１２】
このような捩りコイルバネは、カートリッジ本体を構成する上下ハーフを突き合わせ結合した後に、このカートリッジ内へ装填することは困難であることから、予めカートリッジ本体内に回動自在に装填し、次いでシャッタ部材に取り付ける工程がとられる。
【００１３】
このため、カートリッジ本体内に装填された捩りコイルバネは、シャッタ部材が取り付けられるまでは、バネの端部がカートリッジ本体内を自由に回動してディスク状記録媒体に接触し、傷つけてしまうおそれがある。
【００１４】
そこで、本発明は、ディスク状記録媒体を収納したカートリッジ本体の記録及び／又は再生用開口部を開閉するシャッタ部材を開方向及び閉方向へ選択的に付勢する捩りコイルバネを簡易に取り付けるとともに捩りコイルバネの回動を規制しディスク状記録媒体を保護するディスクカートリッジを提供することを目的とする。
【課題を解決するための手段】
【００１５】
上述したような目的を達成するため提案される本発明に係るディスクカートリッジは、ディスク状記録媒体と、上記ディスク状記録媒体を回転可能に収納するとともに、上記ディスク状記録媒体の一部を内外周に亘って外方に臨ませる記録及び／又は再生用開口部が設けられたカートリッジ本体と、上記カートリッジ本体に移動可能に支持されて上記記録及び／又は再生用開口部を開閉するシャッタ部材と、一端を上記カートリッジ本体に立設された係止部に係止されるとともに他端を上記シャッタ部材に係止され、上記シャッタ部材を上記記録及び／又は再生用開口部を閉塞した位置及び上記記録及び／又は再生用開口部を開放した位置のいずれかに選択的に付勢する二方向付勢機構と、上記二方向付勢機構の移動軌跡上に形成され、上記二方向付勢機構の移動を規制することにより上記二方向付勢機構が上記ディスク状記録媒体に接触することを防止する移動規制部とを備えるものである。
【００１６】
本発明に係るディスクカートリッジに用いられる回転規制部は、上記カートリッジ本体に立ち上がり形成された規制突部又は上記カートリッジ本体に立ち上がり形成された上記ディスク状記録媒体が収納される収納部を構成する周壁が延設されてなる。
【００１７】
また、二方向付勢機構は、上記シャッタ部材の上記記録及び／又は再生用開口部に対する位置に応じて、上記シャッタ部材を上記記録及び／又は再生用開口部を閉塞する方向又は上記記録及び／又は再生用開口部を開放する方向のいずれか一方に選択的に付勢する。
【００１８】
この二方向付勢機構は、一端を上記カートリッジ本体に立設された係止部に回動自在に係止された捩りコイルバネからなり、中間部に第１のコイル部が設けられるとともに上記第１のコイル部から一対のアーム部が延長され、一方のアーム部の先端には上記カートリッジ本体に立設された係止部に回転自在に支持される第２のコイル部が設けられ、他方のアーム部の先端部には略コ字状に折り曲げられるとともに、上記他方のアーム部より延設される延設部及び／又は該延設部と平行に折り曲げられる折り曲げ部が上記他方のアーム部の延設方向と所定の角度を有する係止部が形成され、該係止部が上記シャッタ部材に形成された係止孔に係止する。
【００１９】
また、上記捩りコイルバネは、上記第１のコイル部と上記第２のコイル部とが互いに巻方向を逆にして複数巻回されている。
【００２０】
ここで、上記二方向付勢機構は、上記シャッタ部材が上記記録及び／又は再生用開口部を開放する移動方向の上流側に位置して設けられている。
【００２１】
また、本発明に係るディスクカートリッジを構成するカートリッジ本体は、記録及び／又は再生装置への挿入端側が、カートリッジ本体に収納されたディスク状記録媒体の中心を中心とするほぼ半円の円弧状部とされ、記録及び／又は再生用開口部がカートリッジ本体の円弧状部とされた側面以外の側面に臨んで形成されている。この構成のディスクカートリッジにおいて、シャッタ部材が移動する側面は、シャッタ部材の移動方向と平行な面とされている。
【発明の効果】
【００２２】
本発明に係るディスクカートリッジによれば、二方向付勢機構は、その移動軌跡上に立ち上がり形成された移動規制部に当接することにより移動が規制されるため、二方向付勢機構がカートリッジ本体内に収納されたディスクカートリッジに当接することにより傷つけることを防止することができる。
【００２３】
また、本発明に係るディスクカートリッジは、二方向付勢機構によりシャッタ部材を付勢しているので、シャッタ部材は、二方向付勢機構により記録及び／又は再生用開口部を閉塞した位置又は開放した位置にそれぞれ付勢されるので、記録及び／又は再生装置側にシャッタ部材を保持するための機構を設けることなく、記録及び／又は再生用開口部を閉塞した位置又は開放した位置に保持され、確実に記録及び／又は再生用開口部を閉塞し且つ開放することができる。
【００２４】
また、二方向付勢機構は、シャッタ部材の記録及び／又は再生用開口部に対する位置に応じて、シャッタ部材を記録及び／又は再生用開口部を閉塞する方向又は記録及び／又は再生用開口部を開放する方向のいずれか一方に選択的に付勢するので、シャッタ部材は、ディスクカートリッジの記録及び／又は再生装置への挿脱に関連して記録及び／又は再生用開口部を閉塞する方向又は開放する方向に移動され、確実に記録及び／又は再生用開口部を閉塞し且つ開放することができる。
【００２５】
また、二方向付勢機構を捩りコイルバネにより形成した場合において、捩りコイルバネとシャッタ部材とは、捩りコイルバネの他方のアーム部に形成された係止部の先端が所定の角度を有して折り曲げられることにより、延設部がシャッタ部材の上面側に延設され、また折り曲げ部がシャッタ部材の下面側に延設されるため、シャッタ部材の開閉動作中に捩りコイルバネ又はシャッタ部材が揺動された場合にも、係止部の延設部又は折り曲げ部がシャッタ部材の上面部又は下面部に当接するため、捩りコイルバネとシャッタ部材との係合が外れることが防止される。
【００２６】
更にまた、本発明に係るディスクカートリッジは、捩りコイルバネを、中間部に第１のコイル部が設けられるとともに上記第１のコイル部から一対のアーム部が延長され、一方のアーム部の先端には上記第１のコイル部と巻方向を逆にして巻回された第２のコイル部が設けられた捩りコイルバネにより形成すれば、捩りコイルバネ全体の厚みを抑え、ディスクカートリッジの薄型化を図ることができる。
【００２７】
また、本発明に係るディスクカートリッジは、シャッタ部材が二方向付勢機構により記録及び／又は再生用開口部を閉塞する方向に加えて開放する方向に付勢されるので、シャッタ部材を開放位置に移動させるためにオーバーストローク分を設ける必要がなくなり、シャッタ部材の移動領域が小さくて済む。その結果、ディスクカートリッジ自体の小型化を実現できる。
【００２８】
また、本発明に係るディスクカートリッジは、二方向付勢機構をシャッタ部材が記録及び／又は再生用開口部を開放する移動方向の上流側に配設しているので、カートリッジ本体の空間を有効に利用して配置することができ、小型化に寄与することができる。
【００２９】
更に、本発明に係るディスクカートリッジを用いる記録及び／又は再生装置は、シャッタ部材を開放位置に保持するための機構を設ける必要がないので、記録及び／又は再生装置の機構の簡素化が図られ、装置自体の小型化が実現される。
【００３０】
更にまた、本発明に係るディスクカートリッジは、ディスク状記録媒体を収納したカートリッジ本体の記録及び／又は再生装置への挿入端側を、カートリッジ本体に収納されたディスク状記録媒体の中心を中心とするほぼ半円の円弧状部としているので、収納するディスク状記録媒体の大きさに合わせ、小型化を実現でき、しかも、記録及び／又は再生用開口部がカートリッジ本体の円弧状部とされた側面以外の側面に臨んで形成されることにより、シャッタ部材をカートリッジ本体に安定して移動可能に取り付けることができ、記録及び／又は再生用の開口部を確実に閉塞することができる。
【発明を実施するための最良の形態】
【００３１】
以下、本発明に係るディスクカートリッジを図面を参照して具体的に説明する。
【００３２】
本発明に係るディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。
【００３３】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００３４】
なお、ここに示すディスクカートリッジ１は、プログラムデータ等の情報信号が予め記録された再生専用型の光ディスク２を収納したものである。
【００３５】
光ディスク２を収納するカートリッジ本体５を構成する上下ハーフ３，４は、合成樹脂材料を成形して形成され、外周囲に立ち上がり周壁３ａ，４ａが形成されている。上下ハーフ３，４は、各立ち上がり周壁３ａ，４ａを突き合わせて結合されることにより、内部にディスク収納部６を構成してカートリッジ本体５を構成する。なお、上下ハーフ３，４は、これら上下ハーフ３，４の相対向する内面に突設した溶着用突起を超音波溶着法等の溶着法を用いて結合されてカートリッジ本体５を構成する。また、下ハーフ４に形成された立ち上がり周壁４ａは、後述するように、ヘッド用開口部１３のシャッタ部材１５を開閉方向に付勢する捩りコイルバネ２９の移動軌跡上に延設されることにより、捩りコイルバネ１２９が光ディスク２に当設し傷つけることを防止する。
【００３６】
このディスクカートリッジ１を構成するカートリッジ本体５は、図１乃至図３に示すように、このディスクカートリッジ１が挿脱されるディスクドライブ装置への挿入端側となる一側面である前面を円弧状部７として形成している。この円弧状部７は、図２に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００３７】
カートリッジ本体５の円弧状部７に連続する相対向する側面は、互いに平行な側面８，９として形成され、円弧状部７と対向する背面は、なだらかに湾曲して連続した湾曲部１０として形成されている。
【００３８】
本発明に係るディスクカートリッジ１は、挿入端側となる一の側面である前面を他の面に比し大きく湾曲したほぼ半円の円弧状部７としているので、カートリッジ挿脱口を介してスロットイン方式により挿脱が行われるディスクドライブ装置へ挿入を行う際、ディスクドライブ装置内への挿入方向が容易に判別できる。特に、掌内に収納できる程度に小型化したディスクカートリッジ１にあっては、手で握った感覚でも挿入方向の識別を行うことができるので、誤挿入を防止して正確にディスクドライブ装置に装着することも可能となる。しかも、このディスクカートリッジ１は、後述するように、スロットイン方式のディスクドライブ装置へ挿入操作が容易となるばかりか、確実な挿入操作を実現できる。
【００３９】
更に、本発明に係るディスクカートリッジ１は、挿入端側をほぼ半円の円弧状部７とし、更に加えて円弧状部７と対向する背面も湾曲部１０としているので、収納する光ディスク２に対し一層の小型化が実現されている。
【００４０】
カートリッジ本体５の下面側を構成する下ハーフ４の中央部には、図２及び図３に示すように、カートリッジ本体５に収納した光ディスク２の中心部に形成したセンター穴１１及びその周縁を外方に臨ませる円形の中央開口部１２が形成されている。中央開口部１２には、ディスクカートリッジ１が装着されるディスクドライブ装置側に設けられたディスク回転駆動機構の一部、例えばターンテーブルが進入する。
【００４１】
カートリッジ本体５の下面側を構成する下ハーフ４には、図２及び図３に示すように、記録及び／又は再生用開口部であるヘッド用開口部１３が形成されている。ヘッド用開口部１３は、カートリッジ本体５の一方の側面８に位置し、カートリッジ本体５に収納された光ディスク２の信号記録領域の一部を内外周に亘って外方に臨ませるに足る大きさの矩形状に形成されている。すなわち、ヘッド用開口部１３は、カートリッジ本体５の円弧状部７が形成された前面以外の直線状の平坦な面とされた側面８に臨んで形成されている。
【００４２】
本発明に係るディスクカートリッジ１は、ヘッド用開口部１３を開閉するシャッタ部材１５が移動可能に取り付けられている。このシャッタ部材１５は、薄い金属板を打ち抜き折り曲げて形成され、若しくは合成樹脂材料を成形することにより形成されている。また、シャッタ部材１５は、ヘッド用開口部１３を閉塞するに足る大きさの矩形状に形成された平板状のシャッタ部１６と、シャッタ部１６の基板部側に形成された断面コ字状に形成された支持部１７とを備える。
【００４３】
そして、シャッタ部材１５は、カートリッジ本体５を構成する上ハーフ３側を支持部１７により支持することにより、ヘッド用開口部１３を開閉する図２中矢印Ａ方向又は矢印Ｂ方向に移動可能に支持されている。すなわち、シャッタ部材１５は、図４に示すように、上ハーフ３に形成された立ち上がり周壁３ａの一部をもって構成されたスライドガイド部１８を支持部１７により支持してカートリッジ本体５に移動可能に取り付けられている。
【００４４】
そして、シャッタ部材１５に設けられた支持部１７には、図４及び図５に示すように、シャッタ部１６の基端部から垂直に立ち上がり形成された連結片２１が形成され、この連結片２１の先端部にシャッタ部１６側に向かって折り曲げられた第１の係合片２２が設けられている。また、連結片２１には、シャッタ部材１５の移動方向下流側に、第１の係合片２２が形成された部分より一段低い位置でＬ字状に折り曲げられた第２の係合片２３が設けられている。この第２の係合片２３は、先端部側が第１の係合片２２側に突出するようにＬ字状に折り曲げられた折り曲げ部２３ａが形成されている。
【００４５】
また、連結片２１は、シャッタ部材１５の移動方向上流側に、後述する捩りコイルバネ２９の係止部３３が係止される係止孔２７が形成されたコイルバネ取付片２６が設けられている。コイルバネ取付片２６は、シャッタ部１６側に向かって延設されると共に一部が開放された略円形の係止孔２７が形成されている。また、コイルバネ取付片２６は、第２の係合片２３と同様に、先端部側が第１の係合片２２側に突出するようにＬ字状に折り曲げられた折り曲げ部２６ａが形成されている。
【００４６】
この係止孔２７には、後述する捩りコイルバネ２９の第１のアーム部２９ａに形成された係止部３３が開放端より挿入されることにより係止されることによりシャッタ部材１５と捩りコイルバネ２９とが連結される。
【００４７】
このシャッタ部材１５は、図２に示すように、シャッタ部１６をヘッド用開口部１３上に延在するようにカートリッジ本体５に配設される。このとき、シャッタ部材１５は、図６及び図７に示すように、支持部１７に設けた第１の係合片２２をスライドガイド部１８の側面に形成した係合溝２４に係合させるとともに、第２の係合片２３及びコイルバネ取付片２６にＬ字状に折り曲げ形成された折り曲げ部２３ａ及び２６ａをスライドガイド部１８の先端側に係合させることにより、第１及び第２の係合片２２，２３及びコイルバネ取付片２６によって支持部１７を挟み込むように支持する。このように支持されたシャッタ部材１５は、支持部１７にガイドされ、ヘッド用開口部１３を開閉する図２中矢印Ａ方向又は矢印Ｂ方向に移動する。
【００４８】
なお、図２に示すように、下ハーフ４のシャッタ部１６が移動する領域には、凹状のシャッタスライド部１９が形成されている。シャッタスライド部１９は、シャッタ部１６をカートリッジ本体５の表面から突出させないに足る深さをもって形成されている。
【００４９】
また、本発明に係るディスクカートリッジ１において、下ハーフ４に形成された立ち上がり周壁４ａのヘッド用開口部１３と対向する部分には、図４及び図７に示すように、切り欠き部２５が形成されて開放されている。すなわち、ヘッド用開口部１３は、カートリッジ本体５の内周側から外周縁に亘る領域が開放されて形成されている。
【００５０】
また、上ハーフ３側に形成されたスライドガイド部１８の少なくともヘッド用開口部１３と対向する部分は、ディスクドライブ装置内のカートリッジ装着部に高さ方向の位置決めが図られて装着されたディスクカートリッジ１内の光ディスク２がターンテーブル上に位置決めして装着されたとき、図７に示すように、この光ディスク２の下ハーフ４と対向する下面２ａから突出しない高さＨ１として形成されている。
【００５１】
このように形成されたディスクカートリッジ１は、シャッタ部材１５が移動されてヘッド用開口部１３が開放されたとき、光ディスク２に記録された情報信号を読み出すヘッド部である光ピックアップの全体をカートリッジ本体５内に位置させるばかりか、光ピックアップが光ディスク２の外周側を走査する位置に移動されたとき、後述するように、光ディスク２の信号記録領域を走査する光ビームを集光する対物レンズをカートリッジ本体５内に位置させながら、その他の光学ブロック部分をカートリッジ本体５の外方に位置させることができる。
【００５２】
その結果、本発明に係るディスクカートリッジ１は、光ピックアップを光ディスク２に近接させながら、カートリッジ本体５の内外に亘って位置させることができるので、光ディスク２の外周縁まで信号記録領域を形成することができ、光ディスク２に記録される記録容量を増大させることができる。更に、光ピックアップを光ディスク２に近接させることができることから、対物レンズの開口数（ＮＡ）を大きくでき、光ディスク２の信号記録領域に集光される光ビームのビームスポットを小さくできるので、光ディスク２に記録される情報信号の記録密度を向上できる。更にまた、記録容量の増大とともに記録密度の向上が実現できることから、一定量の記録容量を必要とする光ディスク２の小径化が実現できる。更にまた、光ピックアップをカートリッジ本体５の内外に亘るように位置させて光ディスク２の走査ができるので、カートリッジ本体５の小型化を実現でき、このディスクカートリッジ１を用いるディスクドライブ装置の小型化も実現可能となる。
【００５３】
また、本発明に係るディスクカートリッジ１において、ヘッド用開口部１３を開閉するシャッタ部材１５は、図１及び図２に示すように、カートリッジ本体５の平坦な側面８に沿って移動するように取り付けられている。したがって、シャッタ部材１５は、支持部１７を平坦な側面８に沿わせながら直線移動されるので、安定した移動操作が実現される。
【００５４】
さらに、ヘッド用開口部１３は、カートリッジ本体５の平坦な側面８に対向する位置に形成されているので、下ハーフ４側に形成される切り欠き部２５が形成された部分も直線状の面とされている。したがって、切り欠き部２５が形成され、カートリッジ本体５の外方に臨む側面８の側が開放されたヘッド用開口部１３であっても、全体が矩形状に形成され、直線状の断面コ字状をなす支持部１７を備えたシャッタ部材１５により確実に閉塞することができる。
【００５５】
次いで、シャッタ部材１５のヘッド用開口部１３の開閉方向への確実な移動を実現し、更に、シャッタ部材１５をヘッド用開口部１３を開放した位置又は閉塞した位置に確実に保持する捩りコイルバネ２９について説明する。この捩りコイルバネ２９は、一端をシャッタ部材１５に係止されるとともに他端をカートリッジ本体に回動自在に係合されている。そして、捩りコイルバネ２９は、シャッタ部材１５のカートリッジ本体５に対する移動位置に応じて、シャッタ部材１５をヘッド用開口部１３を開放する方向又は閉塞する方向に回動付勢する。
【００５６】
この捩りコイルバネ２９は、図８（ａ）及び（ｂ）に示すように、中間部に設けられた第１のコイル部３０を介して、シャッタ部材１５に係止される第１のアーム部２９ａと、カートリッジ本体５の一部に支持される第２のアーム部２９ｂが形成されている。
【００５７】
第１のコイル部３０は、複数回巻回されることにより所定の厚みを有して形成され、厚さ方向の一端側３０ａより第１のアーム部２９ａが延設され、厚さ方向の他端側３０ｂより第２のアーム部２９ｂが延設されている。第１のコイル部３０の線径、巻数、自由角度は、様々な設計が可能であるが、最適な値をとる捩りコイルバネを選定する。
【００５８】
この第１のコイル部３０より延設される第１のアーム部２９ａは、先端部にシャッタ部材１５に係止される係止部３３が形成されている。係止部３３は、第１のアーム部２９ａの先端部から延設される延設部３３ａと、この延設部３３ａの延設方向より第１のコイル部３０の巻方向へ略直角に折り曲げられる立ち上がり部３３ｂと、立ち上がり部３３ｂの先端がさらに第１のアーム部２９ａと略平行に折り曲げられる折り曲げ部３３ｃとからなり、全体を略コ字状に形成されている。係止部３３の折り曲げ部３３ｃは、第１のアーム部２９ａの延設方向から所定の角度θ１を有して折り曲げられている。この係止部３３は、立ち上がり部３３ｂをシャッタ部材１５のコイルバネ取付片２６の先端に穿設した係止孔２７に開放端より挿入、係止させることにより捩りコイルバネ２９をシャッタ部材１５に支持させる。
【００５９】
ここで、係止部３３の折り曲げ部３３ｃは、第１のアーム部２９ａの延設方向から所定の角度θ１を有して折り曲げられているため、シャッタ部材１５が開閉動作されたときにも、係止部３３の係止孔２７からの抜け止めが図られている。すなわち、図９に示すように、捩りコイルバネ２９は、係止部３３の先端が折り曲げられることにより、折り曲げ部３３ｃがコイルバネ取付片２６の下面側に延設される。したがって、シャッタ部材１５の開閉動作中に捩りコイルバネ２９が図９中矢印Ｈ方向に揺動され、又はシャッタ部材１５が図９中矢印Ｉ方向に揺動された場合にも、係止部３３の折り曲げ部３３ｃがコイルバネ取付片２６の下面部に当接するため、捩りコイルバネ２９とシャッタ部材１５との係合が外れることを防止することができる。
【００６０】
また、捩りコイルバネ２９は、図１０（ａ）及び（ｂ）に示すように、係止部３３を、延設部３３ａ及び折り曲げ部３３ｃが第１のアーム部２９ａの延設方向から所定の角度θ２及びθ３を有して折り曲げるよう形成することにより、さらに係止孔２７からの抜けを防止することができる。すなわち、図１１に示すように、捩りコイルバネ２９は、係止部３３の先端部が延設部３３ａ及び折り曲げ部３３ｃの２点において所定の角度を有して折り曲げられることにより、延設部３３ａがコイルバネ取付片２６の上面側に延設され、折り曲げ部３３ｃがコイルバネ取付片２６の下面側に延設される。したがって、シャッタ部材１５の開閉動作中に捩りコイルバネ２９又はシャッタ部材１５が上下方向となる図１１中矢印Ｈ方向又はＩ方向に揺動された場合にも、係止部３３の延設部３３ａがコイルバネ取付片２６の上面部に当設し、また折り曲げ部３３ｃがコイルバネ取付片２６の下面部に当接するため、捩りコイルバネ２９とシャッタ部材１５との係合が外れることを防止することができる。
【００６１】
捩りコイルバネ２９の第２のアーム部２９ｂは、図８及び図１０に示すように、捩りコイルバネ２９をカートリッジ本体５に回動自在に係合させる第２のコイル部３１が形成されている。この第２のコイル部３１は、上記第１のコイル部３０と巻方向を逆にして複数回巻回されることにより、第１のコイル部３０の厚さ方向の一端側３０ａに向かって形成されている。そして、第２のコイル部３１は、カートリッジ本体５の内面に突設した支持ピン４２に回転自在に取り付けられている。なお、第２のコイル部３１は、上記第１のコイル部３０と同様に、線径、巻数、自由角度は様々な設計が可能であるが、最適な値をとる捩りコイルバネを選定する。
【００６２】
この捩りコイルバネ２９は、第１のコイル部３０と第２のコイル部３１とが巻方向を互いに逆にして複数回巻回されて形成されているため、捩りコイルバネ２９全体の厚みを抑え、カートリッジ本体５の薄型化を図ることができる。すなわち、コイル部を複数備えた捩りコイルバネにおいて、各コイル部の巻方向を同一方向に形成すると、第２のコイル部３１は第１のコイル部の他端側３０ｂの位置からさらに第１のコイル部３０の厚さ方向の他端側３０ｂに向かって巻回されるため、第１のコイル部３０の厚さに第２のコイル部３１の厚さが加わることによりバネ全体の厚さが増してしまい、捩りコイルバネを収納するカートリッジ本体の厚さが増してしまう。また、このようなディスクカートリッジが挿脱されるディスクドライブ装置の厚さも増大する。
【００６３】
しかし、この捩りコイルバネ２９によれば、第１のコイル部３０と第２のコイル部３１とが互いに巻方向が逆とされることにより、第２のコイル部３１は第１のコイル部３０の一端側３０ａに向かって巻回され、バネ全体の厚さを第１又は第２のコイル部３０，３１のいずれかの厚さに抑えることができる。
【００６４】
また、本発明に係るディスクカートリッジは、図１２（ａ）及び（ｂ）に示すように、捩りコイルバネ２９の第２のコイル部３１を厚さ方向の先端に向かうにつれて漸次縮径するように形成すると共に、この第２のコイル部３１が係合するカートリッジ本体５に立設された支持ピン４２も立設方向の先端に向かうにつれて漸次縮径するように形成するようにしてもよい。
【００６５】
すなわち、捩りコイルバネ２９の第２のコイル部３１は、巻方向の基端側の径Ｄ１が巻方向の先端側の径Ｄ２の径よりも広く、先端に向かうにつれて漸次縮径するように巻回される。また、この第２のコイル部３１が係合するカートリッジ本体５の支持ピン４２は、立設方向の基端側の径Ｄ３が立設方向の先端側の径Ｄ４よりも広く、先端に向かうにつれて漸次縮径するように形成される。また、第２のコイル部３１及び支持ピン４２の各基端側の径Ｄ１及びＤ３は略同一に形成され、各先端側の径Ｄ２及びＤ４は略同一に形成される。なお、支持ピン４２は、第２のコイル部３１の厚さｈよりも高く形成され、基端部から高さｈの位置において第２のコイル部３１の先端部の径Ｄ２と略同一の径Ｄ４とされている。
【００６６】
このようなディスクカートリッジ１によれば、第２のコイル部３１が支持ピン４２に係合されることにより、第２のコイル部３１の巻方向の基端から先端に至るまで支持ピン４２に隙間無く係合させることができ、シャッタ部材１５の開閉動作に伴って捩りコイルバネ２９が回動したときに、回動支点となる第２のコイル部３１ががたつくことを防止することができる。また、捩りコイルバネ２９のカートリッジ本体５とに対するがたつきが防止されるため、ディスクカートリッジ１の使用中に捩りコイルバネ２９がカートリッジ本体５から脱落したり、捩りコイルバネ２９とシャッタ部材１５との係合が外れてしまうことを防止することができる。
【００６７】
この捩りコイルバネ２９は、図１３に示すように、シャッタ部材１５がヘッド用開口部１３を開放する方向に移動する側に位置して配設されている。すなわち、捩りコイルバネ２９は、シャッタ部材１５がヘッド用開口部１３を閉塞する位置から開放する位置に向かう上流側に位置して配設されている。
【００６８】
ところで、シャッタ部材１５の移動方向の上流側は、ヘッド用開口部１３から離間する方向であるので、この上流側に捩りコイルバネ２９を配設することにより、ヘッド用開口部１３を開放したとき、ヘッド用開口部１３に捩りコイルバネ２９が突出するようなことが防止でき、ヘッド用開口部１３を大きく開口できる。
【００６９】
更に、本発明に係るディスクカートリッジ１において、シャッタ部材１５の移動方向の上流側は、ディスクドライブ装置への挿入端とは反対側の背面側のコーナ部であり、余裕ある空間として構成できるので、捩りコイルバネ２９を効率よくカートリッジ本体５内に配置できる。
【００７０】
この捩りコイルバネ２９は、シャッタ部材１５がヘッド用開口部１３を閉塞する位置にあるときには、ヘッド用開口部１３を閉塞した状態を維持するように図１３中矢印Ｂ方向に付勢している。ディスクカートリッジ１がディスクドライブ装置に挿入され、カートリッジホルダによりローディングされると、シャッタ部材１５は、ディスクドライブ装置側に形成されたシャッタ開放操作片がカートリッジ本体５の側面８に形成されたガイド溝４３に進入し、シャッタ部材１５の連結片２１にシャッタ部材１５の移動方向下流側から当接されることにより挿入方向への移動が規制され、ディスクドライブ装置内へローディングされていくカートリッジ本体５に対し相対的にヘッド用開口部１３を開放する方向の図１３中矢印Ａ方向に移動していく。これにより捩りコイルバネ２９は、第２のコイル部３１が回動自在に係合されている支持ピン４２を回動支点として、固定されていない中心部に形成した第１のコイル部３０の位置がシャッタ部材１５の移動方向の矢印Ａ方向に移動していく。捩りコイルバネ２９は、第１のコイル部３０が更に矢印Ａ方向に移動し、シャッタ部材１５の移動方向側に位置する支持ピン４２の位置を超えると付勢方向が反転される。捩りコイルバネ２９は、付勢方向が反転されると、シャッタ部材１５を図１４中矢印Ａ方向に移動するように付勢し、ヘッド用開口部１３を開放する方向の矢印Ａ方向に移動してヘッド用開口部１３を開放した位置に保持する。
【００７１】
シャッタ部材１５がヘッド用開口部１３を開放した位置に保持されたディスクカートリッジ１をディスクドライブ装置から取り出すイジェクト操作を行うと、シャッタ部材１５は、上述した挿入動作と逆の動作をもってカートリッジ本体５に対し相対的に図１４中矢印Ｂ方向に移動していき、中心の第１のコイル部３０も同方向の矢印Ｂ方向に移動していく。捩りコイルバネ２９は、シャッタ部材１５が更に矢印Ｂ方向方向に移動し、第１のコイル部３０がシャッタ部材１５の移動方向側に位置する支持ピン４２の位置を超えると付勢方向が反転される。捩りコイルバネ２９は、付勢方向が反転されると、シャッタ部材１５を図１３中矢印Ｂ方向に移動するように付勢し、ヘッド用開口部１３を閉塞する方向に移動してヘッド用開口部１３を閉塞した位置に保持する。
【００７２】
このように捩りコイルバネ２９により付勢されたシャッタ部材１５は、ヘッド用開口部１３を閉塞した位置及び開放した位置のそれぞれの位置に捩りコイルバネ２９の付勢力を受けて支持されるので、確実にヘッド用開口部１３を閉塞し又は開放した状態を維持できる。
【００７３】
このシャッタ部材１５の開閉動作時において、捩りコイルバネ２９とシャッタ部材１５とは、捩りコイルバネ２９の第１のアーム２９ａに形成された係止部３３の先端が折り曲げられることにより、折り曲げ部３３ｃがコイルバネ取付片２６の下面側に延設されているため、シャッタ部材１５の開閉動作中に捩りコイルバネ２９が図９中矢印Ｈ方向に揺動され、又はシャッタ部材１５が図９中矢印Ｉ方向に揺動された場合にも、係止部３３の折り曲げ部３３がコイルバネ取付片２６の下面部に当接するため、捩りコイルバネ２９とシャッタ部材１５との係合が外れることが防止される。
【００７４】
また、図１１に示すように、捩りコイルバネ２９の係止部３３を延設部３３ａ及び折り曲げ部３３ｃの２点において所定の角度を有して折り曲げるように形成することにより、延設部３３ａがコイルバネ取付片２６の上面側に延設され、折り曲げ部３３ｃがコイルバネ取付片２６の下面側に延設される。したがって、シャッタ部材１５の開閉動作中に捩りコイルバネ２９又はシャッタ部材１５が上下方向となる図１１中矢印Ｈ方向又はＩ方向に揺動された場合にも、係止部３３の延設部３３ａがコイルバネ取付片２６の上面部に当設し、また折り曲げ部３３ｃがコイルバネ取付片２６の下面部に当接するため、捩りコイルバネ２９とシャッタ部材１５との係合が外れることが防止される。
【００７５】
一方、このディスクカートリッジ１を用いるディスクドライブ装置には、付勢部材の付勢力に抗してシャッタ部材１５をヘッド用開口部１３を開放した位置に保持するための機構を設ける必要がないので、ディスクドライブ装置の機構の簡素化が図られ、装置自体の小型化を実現することができる。
【００７６】
更に、このディスクカートリッジ１によれば、シャッタ部材１５がカートリッジ本体５に設けたヘッド用開口部１３に対する位置に応じて、捩りコイルバネ２９によりヘッド用開口部１３を開放する方向又は閉塞方向に移動されるので、ディスクカートリッジ１のディスクドライブ装置への挿脱に関連してヘッド用開口部１３を確実に開放し又は閉塞することができる。
【００７７】
更にまた、このディスクカートリッジ１によれば、シャッタ部材１５が捩りコイルバネ２９によりヘッド用開口部１３を開放した側に移動付勢されるので、シャッタ部材１５をヘッド用開口部１３を開放した位置に移動させるためにオーバーストローク分を設ける必要がなくなり、シャッタ部材１５の移動領域が小さくて済み、ディスクカートリッジ１自体の小型化を実現できる。
【００７８】
なお、ディスクカートリッジ１は、シャッタ部材１５が取り付けられたカートリッジ本体５の一方の側面８には、図１、図６に示すように、ディスクドライブ装置側に設けられたシャッタ解放操作片６３が進入するガイド溝４３が設けられている。
【００７９】
カートリッジ本体５の下面側であって、湾曲部１０とされた背面側の両側には、図２及び図３に示すように、ディスクドライブ装置側に設けた位置決めピンが係合する第１及び第２の位置決め孔４３，４４が設けられている。なお、第２の位置決め孔４４は、位置決めピンの係合位置を調整するため、シャッタ部材１５の移動方向と直交する幅方向を長径とする長孔として形成されている。
【００８０】
また、カートリッジ本体５の円弧状部７の相対向する側面８，９側には、図１及び図２に示すように、このディスクカートリッジ１が装着されるディスクドライブ装置側に設けられるカートリッジローディング機構の一部が係合するローディング用の係合凹部４５，４６が設けられている。
【００８１】
更にまた、カートリッジ本体５の円弧状部７の他方の側面９側に位置する部分には、図２に示すように、ディスクドライブ装置側に設けられるイジェクト機構の一部が係合するイジェクト用の係合凹部４７が設けられている。
【００８２】
更にまた、カートリッジ本体５の側面８，９、あるいは底面には、収納される光ディスク２の種類を識別するための識別孔や識別凹部が必要に応じて設けられる。
【００８３】
以上のような構成を備えるディスクカートリッジ１は、上下ハーフ３，４がポリカーボネート等を用いて射出成形等によって形成された後、光ディスク２及び捩りコイルバネ２９を所定の位置に収納し、上下ハーフ３，４を突き合わせ結合した後、シャッタ部材１５をはめ込むことにより形成される。
【００８４】
具体的に、下ハーフ４を治具に固定した後、捩りコイルバネ２９の第２のコイル部３が下ハーフ４に立設された支持ピン４２に回動可能に挿通される。そして、上ハーフ３が下ハーフ４に突き合わせられ、超音波溶着されることにより、支持ピン４２が上ハーフ３側に形成された軸受け部４１に支持され、捩りコイルバネ２９がカートリッジ本体５内に回動可能に収納される。このとき、捩りコイルバネ２９は、第２のコイル部３１が支持ピン４２に回動可能に支持されることにより、図１５に示すように、スライドガイド部１８が形成されたカートリッジ本体５の側面８より係止部３３が外方に突出可能とされている。
【００８５】
ここで、上述したようにカートリッジ本体５は、下ハーフ４に形成された立ち上がり周壁４ａが捩りコイルバネ２９の回動軌跡上に延設されているため、図１６に示すように、捩りコイルバネ２９が図１６中矢印Ｊ方向に回動されると係止部３３が立ち上がり周壁４ａに当設し、捩りコイルバネ２９の回動が規制される。したがって、本願発明が適用されたディスクカートリッジによれば、捩りコイルバネ２９の係止部３３が光ディスク２に当接することにより光ディスク２に傷がついてしまうことを防止することができる。
【００８６】
シャッタ部材１５は、上述したように、薄い金属板を打ち抜き折り曲げて形成され、又は合成樹脂材料を成型することにより形成される。このシャッタ部材１５は、カートリッジ本体５の側面８より突出されている捩りコイルバネ２９の係止部３３がコイルバネ取付片２６に取り付けられた後、カートリッジ本体５の側面８に形成されたスライドガイド部１８に取り付けられる。
【００８７】
具体的に、シャッタ部材１５は、連結片２１に設けられた第２の係合片２３及びコイルバネ取付片２６を、上ハーフ３側に形成されたガイドレール３５のテーパ面３５ａに沿わせながらシャッタ部１６を下ハーフ４に形成されたシャッタスライド部１９に延設させる。また、シャッタ部材１５は、連結片２１より延設されているコイルバネ取付片２６の係止孔２７に、捩りコイルバネ２９の係止部３３に設けられた立ち上がり部３３ｂが係止孔２７の開放端より挿入されることにより、捩りコイルバネ２９と連結される。次いで、シャッタ部材１５は、図７に示すように、自身の弾性によって連結片２１より延設される第１の係合片２２を上ハーフ３の係合溝２４に係合させるとともに、第２の係合片２３及びコイルバネ取付片２６に折り曲げ形成された折り曲げ部２３ａ及び２６ａをガイドレール３５の内側に位置させ、カートリッジ本体５に摺動自在に取り付けられ、ディスクカートリッジ１の組み立てが完了する。
【００８８】
このように、ディスクカートリッジ１は、捩りコイルバネ２９の係止部３３に立ち上がり部３３ｂを設け、この立ち上がり部３３ｂを、一端が開放されたコイルバネ取付片２６の係止孔２７に挿入することにより捩りコイルバネ２９とシャッタ部材１５との係合が図られるため、シャッタ部材１５のカートリッジ本体５への組付けが容易とされる。また、係合された後には、捩りコイルバネ２９の係止部３３に設けた延設部３３ａ又は折り曲げ部３３ｃがコイルバネ取付片２６に当接することにより捩りコイルバネ２９とシャッタ部材１５との係合が容易に外れないようにされている。
【００８９】
また、本発明が適用されたディスクカートリッジは、以下のように形成してもよい。なお、以下の説明において上記ディスクカートリッジ１と同一の部材については同一の符号を付してその詳細を省略する。
【００９０】
このカートリッジ本体５を構成する下ハーフ４には、図１７に示すように、捩りコイルバネ２９の回動軌跡上に、捩りコイルバネ２９の回動を規制する規制突部４８が形成されている。規制突部４８は、下ハーフ４の立ち上がり周壁４ａ近傍に形成され、捩りコイルバネ２９の係止部３３が光ディスク２に近接する図１７中矢印Ｋ方向への回動を規制する。したがって、このようなディスクカートリッジ１によっても、捩りコイルバネ２９が装填されたカートリッジ本体において、捩りコイルバネ２９の係止部３３が光ディスク２に当接することにより光ディスク２に傷がついてしまうことを防止することができる。
【００９１】
なお、規制突部４８は、下ハーフ４の立ち上がり周壁４ａ近傍に形成されているため、捩りコイルバネ２９がシャッタ部材１５の開閉動作に伴ってカートリッジ本体５内を移動する際には何ら障害とはならない。
【００９２】
次に、上述したディスクカートリッジ１に収納された光ディスク２に対して情報信号の記録及び／又は再生を行うディスクドライブ装置の一例を説明する。
【００９３】
本発明に係るディスクカートリッジ１は、例えばテレビジョンゲームを実行するプログラムデータやビデオデータが記録された光ディスク２が収納される。そこで、この種の光ディスク２を収納した本発明に係るディスクカートリッジ１を用いるディスクドライブ装置としては、図１８に示すように、ディスクカートリッジ１が装着され、少なくとも光ディスク２に記録されたデータを再生するディスクドライブ部を内蔵した装置本体５１と、光ディスク２から再生された画像データや文字データを表示するディスプレイ部５２を備えたディスクドライブ装置５０が用いられる。
【００９４】
図１８に示すディスクドライブ装置５０は、ディスクドライブ部を内蔵した装置本体５１内には、図示はしないが、ディスクカートリッジ１をディスクドライブ部に装着するためのカートリッジホルダを備えたカートリッジローディング機構が設けられている。装置本体１の一側面を構成する前面には、カートリッジホルダに対しディスクカートリッジ１を挿入し、カセットホルダに装着されたディスクカートリッジ１をイジェクトするためのカートリッジ挿脱口５３が設けられている。カートリッジ挿脱口５３は、ディスクカートリッジ１の挿脱を行うに足る大きさの開口部として形成され、ここに挿入されるディスクカートリッジ１の幅Ｗ１よりわずかに大きい幅Ｗ２を有し、ディスクカートリッジ１の厚さＴ１よりわずかに大きな高さＨ２を有する矩形状に形成されている。装置本体５１内には、カートリッジ挿脱口５３に対向してカートリッジホルダ５４が配設されている。
【００９５】
装置本体５１の前面側の一側には、カートリッジホルダ５４に保持されたディスクカートリッジ１をイジェクト操作するためのイジェクトボタン５５が設けられている。
【００９６】
装置本体５１の上面の一方の側には、例えばテレビジョンゲームを実行する際に用いられる制御スイッチの操作ボタン５６，５７が設けられ、他方の側には、ディスプレイ部５２に表示される画像をスクロールするための制御キー５８が設けられ、更に、光ディスク２から再生されるオーディオ信号を放射するスピーカ５９が設けられている。
【００９７】
装置本体５１には、図示は省略するが、ディスクドライブ部を制御するための再生ボタン等の制御ボビンや電源スイッチ操作ボタン等が設けられている。
【００９８】
ディスプレイ部５２は、装置本体５１のカートリッジ挿脱口５３が設けられた前面側とは反対側の背面側に位置して、ヒンジ機構６０を介して装置本体５１に対し回動可能に取り付けられている。ディスプレイ部５２は、装置本体５１側に回動されることにより、装置本体５１の上面に重ね合わせられる。ディスプレイ部５２は、液晶表示パネルを用いて構成されている。
【００９９】
次に、上述のような構成を備えたディスクドライブ装置５０に本発明に係るディスクカートリッジ１を装着する状態を説明する。
【０１００】
ディスクカートリッジ１をディスクドライブ装置５０に装着するには、図１８に示すように、円弧状部７が形成された先端側を挿入端としてカートリッジ挿脱口５３から装置本体５１内に挿入され、カートリッジホルダ５４に保持される。
【０１０１】
ところで、本発明に係るディスクカートリッジ１は、カートリッジ挿脱口５３への挿入端側がほぼ半円の円弧状部７として形成されているので、カートリッジ挿脱口５３の幅方向の中心線Ｐ１に対し幅方向の中心線Ｐ２を大きく傾斜して挿入した場合でも、円滑にカートリッジ挿脱口５３に挿入し、確実にカートリッジホルダ５４に保持できる。
【０１０２】
すなわち、挿入端がほぼ半円の円弧状部７とされたディスクカートリッジ１は、図１９又は図２０に示すように、カートリッジ挿脱口５３の幅方向の中心線Ｐ１に対し幅方向の中心線Ｐ２を左右のいずれかの方向に４５度程度まで傾斜した状態でカートリッジ挿脱口５３に挿入された場合であっても、半円の円弧状部７側を大きく装置本体５１に挿入できる。このとき、ディスクカートリッジ１は、カートリッジ挿脱口５３への挿入途中にカートリッジ挿脱口５３のいずれか一方の側面に当接する円弧状部７の一部を中心にして、図２１に示すように、各中心線Ｐ１，Ｐ２を一致させる方向に回転して容易に姿勢を正しくすることができる。このように、本発明に係るディスクカートリッジ１は、カートリッジ挿脱口５３に対する挿入方向が大きく変位しても、確実にカートリッジホルダ５４への装着が可能となる。
【０１０３】
そして、カートリッジホルダ５４に挿入されたディスクカートリッジ１は、更にカートリッジホルダ５４内に挿入されることにより、シャッタ部材１５がカートリッジ本体５に対し相対移動され、ヘッド用開口部１３が開放される。すなわち、図２１に示すように、ディスクカートリッジ１がカートリッジホルダ５４の途中まで挿入されると、カートリッジホルダ５４内に設けられたシャッタ開放操作片６３が、カートリッジ本体５の一方の側面８に形成したガイド溝４３に進入しシャッタ部材１５の連結片２１をシャッタ部材１５の移動方向下流側から当接する。
【０１０４】
そして、ディスクカートリッジ１は、シャッタ解放操作片６３がシャッタ部材１５の連結片２１に当接されることにより、シャッタ部材１５のカートリッジ本体５に対する移動が規制された状態となる。この図２１に示す位置から更にディスクカートリッジ１をカートリッジホルダ５４の内方に向かう矢印Ｅ方向に挿入すると、カートリッジ本体５が矢印Ｅ方向に移動し、図２２に示すように、ヘッド用開口部１３が開放される。
【０１０５】
ディスクカートリッジ１は、シャッタ部材１５の移動が規制された状態で、カートリッジ本体５がヘッド用開口部１３を開放する図２１中矢印Ｅ方向に移動するとき、図１４及び図２２に示すように、捩りコイルバネ２９が偏倚される。捩りコイルバネ２９は、カートリッジ本体５が図２１中矢印Ｅ方向に移動され、第１のコイル部３０がシャッタ部材１５の移動方向側に位置する支持ピン４２の位置を超える位置まで偏倚されると、付勢方向が反転され、シャッタ部材１５をカートリッジ本体５の移動方向とは逆方向の図２１中矢印Ｆ方向に移動させ、前述した図１４及び図２２に示すように、ヘッド用開口部１３を開放する。このとき、シャッタ部材１５は、捩りコイルバネ２９によりヘッド用開口部１３を開放するように付勢されているので、確実にヘッド用開口部１３を開放した状態に維持する。
【０１０６】
上述のような操作をもってヘッド用開口部１３が開放されてカートリッジホルダ５４に挿入されたディスクカートリッジ１は、ディスクドライブ装置５０内に設けられたカートリッジ装着部に位置決めして装着される。このとき、光ディスク２は、ディスクドライブ部に位置決めして装着される。ここで、ディスクドライブ部を駆動することによって、光ディスク２に記録されたプログラムデータが再生され、プログラムが実行される。
【０１０７】
そして、光ディスク２の再生を行った後、ディスクドライブ装置５０に装着されたディスクカートリッジ１をイジェクトするには、イジェクトボタン５５を操作することによって行われる。イジェクトボタン５５が操作されると、カートリッジ装着部に装着されたディスクカートリッジ１のイジェクト操作が実行される。イジェクト操作が実行されると、更なる詳細な説明は省略するが、上述した動作とは逆の動作をもってシャッタ部材１５がカートリッジ本体５に対し相対移動され、付勢方向が閉塞方向に反転された捩りコイルバネ２９によってヘッド用開口部１３を閉塞する。このシャッタ部材１５の閉塞位置への移動動作とともにカートリッジ挿脱口５３からの排出が行われ、ディスクドライブ装置５０に装着されたディスクカートリッジ１のイジェクト操作が完了する。
【０１０８】
このシャッタ部材１５の開閉動作時において、捩りコイルバネ２９とシャッタ部材１５とは、上述したように、捩りコイルバネ２９の第１のアーム２９ａに形成された係止部３３の先端がコ字状に折り曲げられるとともに、延設部３３ａ及び又は折り曲げ部３３ｃが第１のアーム２９ａの延設方向と所定の角度を有して形成されることにより、延設部３３ａ及び／又は折り曲げ部３３ｃがコイルバネ取付片２６の上面又は下面側に延設されているため、シャッタ部材１５の開閉動作中に捩りコイルバネ２９又はシャッタ部材１５が図９及び図１１中矢印Ｈ方向又は矢印Ｉ方向に揺動された場合にも、係止部３３の延設部３３ａがコイルバネ取付片２６の上面部に当設し、また折り曲げ部３３ｃがコイルバネ取付片２６の下面部に当接するため、捩りコイルバネ２９とシャッタ部材１５との係合が外れることが防止される。
【０１０９】
以上のように、本発明に係るディスクカートリッジについて、挿入端側を半円状に形成し、小型化を図ったディスクカートリッジに適用した例を挙げて説明したが、本発明は、上述したディスクカートリッジに限られるものではなく、カートリッジ本体を矩形状に形成されたもの、更に、カートリッジ本体の上下の両面に記録及び／又は再生用の開口部を設けたディスクカートリッジにそのまま適用し、上述したディスクカートリッジと同様の利点を得ることができる。
【０１１０】
すなわち、本発明は、カートリッジ本体に設けられた記録及び／又は再生用の開口部を開閉するシャッタ部材を備えたディスクカートリッジに広く適用できるものである。
【図面の簡単な説明】
【０１１１】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジの下ハーフ側から見た平面図である。
【図４】シャッタ部材とこのシャッタ部材が支持されるカートリッジ本体を示す斜視図である。
【図５】シャッタ部材と、このシャッタ部材に取り付けられる捩りコイルバネを示す斜視図である。
【図６】本発明に係るディスクカートリッジのシャッタ部材が取り付けられた側の側面を示す側面図である。
【図７】カートリッジ本体にシャッタ部材を取り付けた状態を示す断面図である。
【図８】シャッタ部材を付勢する捩りコイルバネを示す図である。
【図９】シャッタ部材に係止された捩りコイルバネを示す斜視図である。
【図１０】シャッタ部材を付勢する他の捩りコイルバネを示す図である。
【図１１】シャッタ部材に係止された捩りコイルバネを示す斜視図である。
【図１２】シャッタ部材を付勢するさらに他の捩りコイルバネを示す図である。
【図１３】シャッタ部材がヘッド用開口部を閉塞しているディスクカートリッジを示す平面図である。
【図１４】シャッタ部材がヘッド用開口部を開放しているディスクカートリッジを示す平面図である。
【図１５】カートリッジ本体にシャッタ部材を取り付ける様子を示す図である。
【図１６】捩りコイルバネが光ディスク側に回動するのを規制する状態を示す平面図である。
【図１７】捩りコイルバネが光ディスク側に回動するのを規制する状態を示す平面図である。
【図１８】本発明に係るディスクカートリッジが用いられるディスクドライブ装置の一例を示す斜視図である。
【図１９】ディスクカートリッジがディスクドライブ装置のカートリッジ挿脱口に対し傾斜して挿入される状態を示す平面図である。
【図２０】ディスクカートリッジがディスクドライブ装置のカートリッジ挿脱口に対し他の方向に傾斜して挿入される状態を示す平面図である。
【図２１】ディスクカートリッジが姿勢が制御されてカートリッジホルダに挿入された状態を示す平面図である。
【図２２】ディスクカートリッジがカートリッジホルダに挿入され、シャッタ部材が移動されヘッド用開口部が開放された状態を示す平面図である。
【符号の説明】
【０１１２】
１  ディスクカートリッジ、２  光ディスク、４ａ  立ち上がり周壁、５  カートリッジ本体、７  円弧状部、８  シャッタ部材が支持される側の側面、１３  ヘッド用開口部、１５  シャッタ部材、１７  支持部、１８  スライドガイド部、２９  捩りコイルバネ、４８  規制突部
【図１】
2005158194.tif 000003
【図２】
2005158194.tif 000004
【図３】
2005158194.tif 000005
【図４】
2005158194.tif 000006
【図５】
2005158194.tif 000007
【図６】
2005158194.tif 000008
【図７】
2005158194.tif 000009
【図８】
2005158194.tif 000010
【図９】
2005158194.tif 000011
【図１０】
2005158194.tif 000012
【図１１】
2005158194.tif 000013
【図１２】
2005158194.tif 000014
【図１３】
2005158194.tif 000015
【図１４】
2005158194.tif 000016
【図１５】
2005158194.tif 000017
【図１６】
2005158194.tif 000018
【図１７】
2005158194.tif 000019
【図１８】
2005158194.tif 000020
【図１９】
2005158194.tif 000021
【図２０】
2005158194.tif 000022
【図２１】
2005158194.tif 000023
【図２２】
2005158194.tif 000024